(57)【要約】      （修正有）【課題】上水の残留塩素及び水中に発生する藻類や細菌の除去目的として、不織布や織布で銅繊維や銅ファイバーの塊を包装した袋体を使用することを特徴とし、可塑性、耐久性に優れた水の浄化用パックを提供する。【解決手段】不織布や織布で銅繊維や銅ファイバーを包装することにより、可塑性があり、折り曲げたり丸めたりして使用できることから、簡易に装置あるいは器具にもセットすることができ、また、装置や器具に用いなくても単独で必要とする箇所に設置できる。使用範囲が広く、簡単に処理量に対応できることを特徴とした水の浄化用パックである。【選択図】図１
0003125470.tif 000002
【実用新案登録請求の範囲】
【請求項１】
上水の残留塩素及び水中に発生する藻類や細菌の除去を目的として、不織布や織布で銅繊維や銅ファイバーの塊を包装した袋体を使用することを特徴とする水の浄化用パック
【請求項２】
請求項１において、銅繊維や銅ファイバーは糸条の太さとして10ミクロンから５０ミクロンであることを特徴とする水の浄化用パック
【請求項３】
請求項１において、不織布や織布は、素材としてポリプロピレン、ポリエステル、ポリアクリル、ナイロン、の化学繊維、または絹、綿、麻などの天然繊維で、織布の目の開きは９ミクロン〜５０ミクロン未満であることを特徴とする水の浄化用パック
【考案の詳細な説明】
【技術分野】
【０００１】
本考案は、上水の残留塩素及び水中に発生する藻類や細菌の除去目的として、不織布や織布で銅繊維や銅ファイバーの塊を包装した袋体を使用することを特徴とした水の浄化用パックに関する。
水の浄化を必要とする装置や器具に設置する場合や単独に置いて長期間水を浄化する場合には、パックは可塑性、耐久性に優れていることが必要である。
【背景技術】
【０００２】
銅が微量で殺菌効果があることは古くより知られていたが、１８９３年植物学者ネーゲリが１０００万分の１の銅イオンがアオミドロを死滅させることを発見したことにより科学的立証が始まった。新潟薬大学、星生産業、千葉市環境保健所、コデラカプロンの４者による繊維状にした３０ミクロンの銅ファイバーの殺菌および残留塩素除去効果に関する産学共同研究発表がなされている（非特許文献１参照）。この発表では形状の違う銅繊維、銅線、銅板の３種類についてサルモネラ菌、黄色ブドウ球菌、Ｏ−１５７、レジオネラ菌に対する殺菌効果を報告している。分析機関は財団法人新潟県環境衛生研究所である。
いずれの菌に対しても銅繊維では開始時1ミリリットル当たり１０の5乗の発生集落数が８時間後には消滅している。
【０００３】
従来の水の浄化を目的とした銅繊維や銅ファイバー製品では、装置の一部として設置する方法が提案されている。（特許文献１、２、３参照）
また、固形状態の器具のなかに入れて使用する方法が提案されている。（特許文献４、５参照）
【非特許文献１】平成１３年４月第７１回日本衛生学会総会予稿集、
【特許文献１】特開平１０−４３７６９号
【特許文献２】特開平７−２５１１８５号
【特許文献３】特開平７−３２８６４３号
【特許文献４】特開平１１−２６７６３５号
【特許文献５】特開平８−７１３４０号
【考案の開示】
【考案が解決しようとする課題】
【０００４】
以上に述べた銅繊維や銅ファイバーの塊を利用した水の浄化については、装置の一部として設置するか固形状態の中に入れた器具として使用されているだけであり、使用範囲が限定され応用性がないという問題点を有していた。
【課題を解決するための手段】
【０００５】
上水の残留塩素及び水中に発生する藻類や菌類の除去し浄化を目的として、装置の一部として或いは固形の容器にセットして浄化をすることは、その目的用途のみでしか使用できない。銅繊維が塩素除去や除菌効果が高いことは明らかであり、狭い範囲で限定した用途ではなく、多くの用途に対応できるような形態で銅繊維を使用できることは大きなメリットである。そのような観点から最も望ましい形態は、不織布や織布に銅繊維や銅ファイバーの塊を包装した袋体を使用する水の浄化用パックである。これに使用する銅繊維や銅ファイバーは糸条の太さとして10ミクロンから５０ミクロンである。銅の純度は９９．９６％以上とする。また不織布や織布の目の大きさは９ミクロン〜５０ミクロン未満の大きさとし、不織布や織布の目から銅繊維や銅ファイバーが抜けないことを特徴とするパックに関する。
【０００６】
銅には藻類や細菌を殺滅する作用があることは良く知られているが、同じ純度及び重量で効果を上げるには、表面積の多いことが効果的である。このことは水中の残留塩素の除去にも有利である。
【０００７】
上水に対し残留塩素試薬のオルトトリジンを使用した残留塩素の除去を実施した。上水１００ミリリットルに対し残留塩素試薬のオルトトリジン１ｃｃを添加すると黄色に着色する。この試薬は残留塩素と反応することで黄色を呈する。反応を起こした中に糸条の太さ３０ミクロンの銅繊維を１g添加し、撹拌すると瞬時に黄色から無色透明の水に戻る。これは試薬と残留塩素とが反応することで黄色に発色するが、銅の残留塩素に対する吸着力の方が強いことによる。
また新たに上水１００ミリリットルに銅繊維１gを入れ撹拌した後にオルトトリジン１ｃｃを添加しても黄色く反応することはなく無色透明のままである。これは残留塩素が既に胴表面に吸着されたことにより反応を起こさなかったと認められる。水中の残留塩素の除去は、銅表面への残留塩素の吸着と考えている。
【０００８】
不織布や織布は、素材としてポリプロピレン、ポリエステル、ポリアクリル、ナイロンの化学繊維、または絹、綿、麻などの天然繊維で、織布の目の開きは９ミクロン〜５０ミクロン未満である水の浄化用パックである。
不織布はまさに織らない布であり、編み物でも紙でもフィルムでもなく、繊維同士をいろんな方法により結合させたシートである。製品としては使用目的に応じ原料、製法、加工方法などを選択することにより、自在に機能をもたせることができ、緻密なものから空隙の多いもの、柔らかいものから硬いもの、厚いものから薄いものまで作ることができる。通気性が基本的機能で更に吸水性、揮発性、耐洗濯性、抗菌、防臭など用途に応じて機能をもたせることができる。
本考案では上記の課題を解決するため、通水性かつ柔軟性や耐久性のある不織布や織布に銅繊維や銅ファイバー塊を包み込むことにより、可塑性があり、折り曲げたり丸めたりして使用できることから、簡易に装置あるいは器具にもセットすることができ、また、装置や器具に用いなくても単独で必要とする箇所などに設置することなど必要に応じた形で水の浄化を簡単に行うことができる。
更には、銅繊維が簡単に流出することは、処理する対象によっては問題になることが予想される。例えば加工食品の除菌を対象とした場合に銅繊維が食材に混入することは問題であり、その防止としての不織布や織布でもある。
従って、不織布や織布を使用する目的は銅繊維の効果を十分活かし、一定の場所に留め、上述したようにその特性を活かしパックにすることで簡便かつ用途範囲を広げることができるのである。
【０００９】
例えば、家庭用の風呂の湯船に入れておけば水道水の遊離塩素の除去や除菌効果がある。トイレの水タンクや台所の排水口に置けば除菌やヌメリや悪臭を除去する。このパックをペットボトルに入れ水道水を入れると遊離塩素を除去するとともに除菌効果でいつでも清潔かつおいしい水が飲める。霧吹き器に入れて使用すれば除菌効果から毛髪から足先まで清潔さを保てる。加湿器の水タンク内に入れておけば雑菌や藻類の発生を防ぎ、常時清潔で除菌効果のある加湿を提供するといった具合である。
大型の処理に対しても同じである。飲料用の大型タンク内に処理量に対応したものを設置すれば除菌および藻類の発生を防止し浄化する。
一般家庭の水周りはもちろんのこと、衛生管理を必要とする施設、食品加工等などの水の浄化に対応することができる。
【考案の効果】
【００１０】
このように不織布や織布に銅繊維や銅ファイバーの塊を包装することにより、水の浄化を必要とする装置や器具に幅広く利用することができ、また単独でも形状、形態、大きさ、長さ、処理量にあったものを臨機応変に簡単に取り付けることができる。さらに簡易で安全かつ無害のみならず廉価で長期間継続して使用でき、上水の残留塩素及び水中に発生する藻類や細菌の除去することができる。
【考案を実施するための最良の形態】
【００１１】
水の浄化では、家庭用の風呂の湯船に入れておけば水道水の残留塩素や藻類や細菌の除去効果がある。トイレの水タンクや台所の排水口に置けば除菌やヌメリや悪臭の除去をする。このパックの入ったペットボトルに水道水を入れると脱塩素及び除菌効果でいつでも清潔かつおいしい水が飲める。霧吹き器に入れて使用すれば除菌効果から毛髪から足先まで清潔さを保てる。加湿器の水タンク内に入れておけば雑菌や藻類の発生を防ぎ、常時清潔な加湿を提供するといった具合である。
大型の処理に対しても同じである。飲料用の大型タンク内に処理量に対応したものを設置すれば除菌および藻類の発生を防止し浄化する。
一般家庭の水周りはもちろんのこと、衛生管理を必要とする施設、食品加工等の水に関する浄化に対応することができる。
【実施例１】
【００１２】
水洗トイレの水タンク内に３０ミクロンの銅繊維10グラムを目の開きが１５ミクロン程度のポリプロピレン不織布に包み投入することにより、タンク内のヌメリ及び便器の黄ばみや悪臭が少なくなった。この状態は３ヶ月間効果があった。
【実施例２】
【００１３】
風呂用シャワーの湯の出る内部に３０ミクロンの銅繊維5グラムを１０ミクロン程度のポリエステル不織布に包み取り付け、アトピー症の人に使用してみたところ柔らかい水でかゆみが治まり、４ヶ月でカサカサした肌が健常者の肌に近い状態になった。
【実施例３】
【００１４】
効果のなくなった活性炭入りの水道用浄水器に活性炭の変わりに３０ミクロンの銅繊維１０グラムを１０ミクロンのポリエステル不織布に包み取り付けたところ、その日から塩素臭や排水溝の嫌な臭いやヌメリが全くなくなった。
【実施例４】
【００１５】
１０ミクロンのポリエステル不織布に３０ミクロンの銅繊維１グラムを１リットル用のペットボトルに水道水入れ、よく振って５分後に飲むと塩素臭もなく、市販のナチュラルミネラルウォーターと同じようにておいしい水であった。この場合繰り返し５００回以上使用できた。
【実施例５】
【００１６】
不織布を使用せず３０ミクロンの銅繊維を１グラム包み250ミリリットル用の霧吹き器に入れ使用していたところ、数十回の使用でノズルに銅繊維が入り込み霧吹き器の使用が困難になった。
このため図４のように目開き１０ミクロン程度のポリプロピレン不織布に入れ替えて使用したところ、何の問題もなく使用できた。
【実施例６】
【００１７】
上記の霧吹き器により使用中は髪や身体に繰り返し吹き付けると、乾燥後には髪はサラサラになり、皮膚にツルツル感が出た。
また怪我をした箇所に吹きつけ、更にはコットンに含ませたものを患部に当てることを繰り返すと数日で膿むこともなく治った。また歯周病の人に就寝前の歯磨き後に口内殺菌用として１ヶ月間使用してもらったところ、行きつけの歯医者の検診で歯周病が大きく改善されていることがわかった。
【実施例７】
【００１８】
１０ミクロンのポリプロピレン不織布に３０ミクロンの銅繊維を３０グラムの包み１８０リットル用の浴槽用に浸けておくと、残留塩素が除去され皮膚に刺激のない柔らかい湯になり、湯上りでは肌を被膜したようなツルツル感がある。また浴槽内のヌメリも少なく残り湯は翌日も使用でき、排水溝の臭いは全くなくなった。効果は約２ヶ月継続した。
【実施例８】
【００１９】
１０ミクロンのポリエステル不織布に５グラムの銅繊維を包み水の張った１０リットルのタライに浸け、３日間水を入れ替えることなく野菜類を入れておくと、みずみずしさを失わずに新鮮さを保った。効果は約５ヶ月継続した。
【００２０】
塩素の検査として、一派に使用されている方法の上水に対し残留塩素試薬のオルトトリジンを使用した残留塩素の分析を実施した。上水１００ミリリットルに対し残留塩素試薬のオルトトリジン１ｃｃを添加すると黄色に着色する。この試薬は残留塩素と反応することで黄色を呈する。反応を起こした中に糸条の太さ３０ミクロンの銅繊維を１g添加し、撹拌すると瞬時に黄色から無色透明の水に戻る。これは試薬と残留塩素とが反応することで黄色に発色するが、銅の残留塩素に対する吸着力の方が強いことによる。
また新たに上水１００ミリリットルに銅繊維１gを入れ撹拌した後にオルトトリジン１ｃｃを添加しても黄色く反応することはなく無色透明のままである。これは残留塩素が胴表面に吸着されたことにより反応を起こさなかったと認められる。水中の残留塩素の分解は、銅表面への残留塩素の吸着と考えている。
【図面の簡単な説明】
【００２１】
【図１】不織布等に銅繊維等を入れたパックの斜視図である。
【図２】パックを二枚折にした状態の斜視図である。
【図３】パックを丸めた状態の斜視図である。
【図４】パックを霧吹き器に入れたときの側面図である。
【図５】パックをシャワーの内部に入れたときの斜視図である。
【符号の説明】
【００２２】
１  不織布または織布
２  銅繊維または銅ファイバー
３  霧吹き器
４  シャワー
【図１】
0003125470.tif 000003
【図２】
0003125470.tif 000004
【図３】
0003125470.tif 000005
【図４】
0003125470.tif 000006
【図５】
0003125470.tif 000007